(57)【要約】【課題】  施術を受ける者にとって無痛であることは勿論のこと、簡単に実施することが出来、しかもより美容効果の高い美容方法を提供する。【解決手段】  肌の弛緩部位に、保湿向上効果を有する第一の美容液を塗布した後、美容装置１０に具備されたマイナスイオン１を弛緩部位に当てながらマイナスイオンを含むエアーを吹き付ける。また、保湿向上効果を有する第一の美容液と共に、紫外線遮断作用と過剰皮脂抑制作用を有する第二の美容液Ａと、引締め作用を有する第二の美容液Ｂと、炎症抑制作用を有する第二の美容液Ｃとを使用直前に混合して用いるようにしても良い。さらに、マイナスイオンを含むエアーの吹き付け前に、プラスイオンを含むエアーを吹き付けるようにしても良い。【選択図】図１
2006167296.tif 000002
【特許請求の範囲】
【請求項１】
非導電性の中空状のチューブと、上記チューブ内に配置され、高電圧が印加されることによりマイナスイオンを放射する抵抗体からなる電極部と、上記電極部と電気的に接続され、上記電極部に対して高電圧を印加する高圧電源部と、上記チューブに連結され、上記チューブ内の電極部に向けてエアーを吹き込むことにより、上記電極部から放射されるマイナスイオンを含むエアーを上記チューブ先端から放出させる送風装置と、上記電極部と上記チューブ先端との間に液体含浸部材が保持可能に構成された空隙が設けられている美容装置を用いた美容方法であって、
肌の弛緩部位に、少なくとも保湿向上作用を有する第一の美容液を塗布した後、当該弛緩部位にマイナスイオンを含むエアーを吹き付けることを特徴とする美容方法。
【請求項２】
前記第一の美容液と共に、紫外線遮断作用、過剰皮脂抑制作用、引締め作用、炎症抑制作用の何れか１以上を有する第二の美容液を塗布することを特徴とする請求項１記載の美容方法。
【請求項３】
前記マイナスイオンを含むエアーの吹き付けに先立って、プラスイオンを含むエアーを上記弛緩部位に吹き付けることを特徴とする請求項１または２に記載の美容方法。
【発明の詳細な説明】
【技術分野】
【０００１】
本発明は、シワやたるみといった肌の弛緩を改善し、肌にハリを取り戻すようにした美容方法に関するものである。
【背景技術】
【０００２】
肌のシワには、笑ったり、しかめっ面をしたりしてできる表情ジワや、紫外線などによって肌の弾力成分であるコラーゲンなどが変性したり、減少したりして起きるもの、乾燥によって起こるものなどがある。また、化粧品に含まれる成分が肌の上で過酸化脂質化して肌を老化させて起こるものなどもある。
このシワは、表皮より１０倍〜２０倍も厚い皮膚の真皮層内部が壊れ、表皮が波打ってしまうことにより起こる。この真皮層はコラーゲンで作られた繊維が布団の綿のように存在し、弾力のある層を作っており、エラスチン繊維がこのコラーゲン繊維群を所々結び合わせ、強固で柔軟な構造に仕上げている。そして、このコラーゲンやエラスチンでできた、弾力ある繊維の壊れた結果が表皮に現れ、最終的にしわとなる。
また、肌のたるみは、さらに下層の筋肉のゆるみ（退化）が加わることにより起こる。
【０００３】
そして、従来、このようなシワやたるみ等に対する予防、治療の方法として、肌を構成している成分のコラーゲンやヒアルロン酸を、しわ等の肌の弛緩部分に注入して膨らませてしわ等を無くす方法や、余分な肌の弛緩部分を切除して縫合する方法が知られている。
【０００４】
また、コラーゲン等の有効成分を含有した美容剤をつけた皮膚に、強磁性体からなる押圧体を押し当て、その押圧体により美容剤を皮膚に擦り込むようにしてシワ等を防止、改善するようにした手段も提案されている（特許文献１参照）。
【０００５】
【特許文献１】特開平１１−１５５６３５号公報
【発明の開示】
【発明が解決しようとする課題】
【０００６】
しかしながら、従来のコラーゲン等を注入する手段や、余分な肌の弛緩部分を切除する手段では、大掛かりで簡単に実施することが出来ず、しかも被験者に痛みを伴うものであった。
また、押圧体によりコラーゲン等の有効成分を含有した美容剤を皮膚に擦り込むように手段は、簡単に実施することが出来るものの、十分な効果を得ることが出来ないものであった。
【０００７】
本発明は、上記課題を解決するためになされたものであって、施術を受ける者にとって無痛であることは勿論のこと、簡単に実施することが出来、しかもより美容効果の高い美容方法を提供することも目的とする。
【課題を解決するための手段】
【０００８】
上記目的を達成するため、本発明の第一の美容方法は、非導電性の中空状のチューブと、上記チューブ内に配置され、高電圧が印加されることによりマイナスイオンを放射する抵抗体からなる電極部と、上記電極部と電気的に接続され、上記電極部に対して高電圧を印加する高圧電源部と、上記チューブに連結され、上記チューブ内の電極部に向けてエアーを吹き込むことにより、上記電極部から放射されるマイナスイオンを含むエアーを上記チューブ先端から放出させる送風装置と、上記電極部と上記チューブ先端との間に液体含浸部材が保持可能に構成された空隙が設けられている美容装置を用いた美容方法であって、肌の弛緩部位に、少なくとも保湿向上作用を有する第一の美容液を塗布した後、当該弛緩部位にマイナスイオンを含むエアーを吹き付けることを特徴とする。
ここで肌の弛緩部位とは、所謂しわが発生している箇所は勿論のこと、筋肉のゆるみにより皮膚がたるんでしまった箇所をいう。
このように、肌の弛緩部位に第一の美容液を塗布しつつ、肌にマイナスイオンを吹き付け導入することにより、体内のイオンバランスを整え、細胞機能を低下させて肌の様々な働きを阻害し、肌の潤い、ハリ、つやを失わせ、シワやたるみ、くすみの原因となる活性酸素を取り除き、肌を老化から守って正常な肌に戻し、シワ等を改善することができる。
【０００９】
また、保湿向上作用を有する第一の美容液と共に、紫外線遮断作用、過剰皮脂抑制作用、引締め作用、炎症抑制作用の何れか１以上を有する第二の美容液を塗布するようにしても良い。この第二の美容液としては、例えば紫外線遮断作用と過剰皮脂抑制作用を有する第二の美容液Ａ、引締め作用を有する第二の美容液Ｂ、炎症抑制作用を有する第二の美容液Ｃといったように分け、使用直前に混合して用いるようにする他、最初から紫外線遮断作用、過剰皮脂抑制作用、引締め作用、炎症抑制作用の全てを含む一つの美容液として用いるようにしても良い。また、第一の美容液と第二の美容液Ａと第二の美容液Ｂと第二の美容液Ｃとを、使用直前に混合して用いるようにしても良い。さらに、第二の美容液に、第一の美容液とは異なる保湿向上作用を有する成分を予め含めるようにしても良い。
これにより、肌に十分に保湿成分を与えながら、肌を引締め、シワや肌のたるみを改善し、しかも改善されたシワ等が再現し難いものとなる。
【００１０】
この際、マイナスイオンを含むエアーを吹き付ける上記美容装置に設けられた空隙部分に保持される液体含浸部材に、保湿向上作用、紫外線遮断作用、過剰皮脂抑制作用、引締め作用、炎症抑制作用を有するそれぞれの美容液を含浸させるようにしても良い。
これにより、被験者に苦痛を伴わせることなく、かつ、効率良く肌の弛緩部位にマイナスイオンを照射させることが出来る。
【００１１】
また、本発明の第二の美容方法は、上記第一の美容方法に加え、前記マイナスイオンを含むエアーの吹き付けに先立って、プラスイオンを含むエアーを上記弛緩部位に吹き付けることを特徴とする。
このように、マイナスイオンを含むエアーの吹き付け前に、肌に良くないとされているプラスイオンを含むエアーをあえて上記弛緩部位に吹き付けることにより、肌を一時的に陽性化させ、その後のマイナスイオンの導入を効果的に促すことが出来る。
【発明の効果】
【００１２】
本発明によれば、肌の弛緩部位に、保湿向上作用を有する第一の美容液を塗布した後、マイナスイオンを含むエアーを吹き付けることで当該弛緩部位を改善させるものであるので、肌に保湿向上作用を有する成分を効果的に滲み込ませ、施術を受ける者に痛みなどの苦痛を与えることなく、簡単に実施することが出来る。しかも、各種効果を有する美容液を塗布しながらマイナスイオンを照射し、シワ等を改善するものであるので、一層美容効果を高めることができる。
さらに、マイナスイオンを含むエアーの吹き付け前に、プラスイオンを含むエアーを上記弛緩部位に吹き付けることにより肌を沈静化させ、その後のマイナスイオンの導入を効果的に促し、より一層マイナスイオンによる血流の改善、自律神経の調整、ホルモンバランスの正常化、活性酸素を除去し皮膚の老化防止といった効果を高めることもできる。
【発明を実施するための最良の形態】
【００１３】
以下、本発明の一実施形態にかかる美容方法について説明する。
まず、本実施形態では、肌の弛緩部位に、保湿向上効果を有する第一の美容液を塗布する。保湿向上効果を有する第一の美容液には、保湿剤の他に、抗炎症剤、防腐剤が含まれている。具体的には、第一の美容液には、例えば加水分解コラーゲン、ブチレングリコール（ＢＧ）、加水分解エラスチン、水添レシチングリセリン脂肪酸エステル、グリチルリチン酸ジカリウム、フェノキシエタノール及び精製水が成分として含まれている。
【００１４】
次いで、第一の美容液を塗布した後、当該弛緩部位にマイナスイオンを含むエアーを吹き付ける。このマイナスイオンを含むエアーの吹き付けは、例えば非導電性の中空状のチューブと、上記チューブ内に配置され、高電圧が印加されることによりマイナスイオンを放射する抵抗体からなる電極部と、上記電極部と電気的に接続され、上記電極部に対して高電圧を印加する高圧電源部と、上記チューブに連結され、上記チューブ内の電極部に向けてエアーを吹き込むことにより、上記電極部から放射されるマイナスイオンを含むエアーを上記チューブ先端から放出させる送風装置とを有し、上記電極部と上記チューブ先端との間に液体含浸部材が保持可能に構成された空隙が設けられている美容装置を用いて行う。
【００１５】
このマイナスイオンを含むエアーの吹き付けは、例えば前記弛緩部位に第一の美容液と共に、保湿向上効果、紫外線遮断作用、及び過剰皮脂抑制作用を有する第二の美容液Ａと、保湿向上効果、引締め作用を有する第二の美容液Ｂと、保湿向上効果、炎症抑制作用を有する第二の美容液Ｃとを、使用直前に混合し、これを塗布しながら行うものとしても良い。また、このマイナスイオンを含むエアーの吹き付けは、一箇所につき、３０〜６０秒間、全体で１０〜１５分間行う。
【００１６】
上記第二の美容液Ａには、例えばブチレングリコール（ＢＧ）、グリセリン、ソルビトール、トレハロース、ヒアルロン酸ナトリウム、水添レシチン、ピロリドンカルボン酸ナトリウム（ＰＣＡ−Ｎａ）、プロリン、リン酸ナトリウム、加水分解コラーゲン、水溶性コラーゲン、リン酸カリウム、加水分解酵母エキス、加水分解シルク、加水分解エラスチン、モモ葉エキス、ヨクイニンエキス、グリチルリチン酸ジカリウム、モモ葉エキス、褐藻エキス、ボタンエキス、クロレラエキス、アロエベラエキス、カッコンエキス、ローズマリーエキス、フェノキシエタノール、エタノール、パラベン、水酸化カリウム、カルボマー、ベタイン、トコフェロール、スクワラン、アラントイン、プロリン、クエン酸、クエン酸ナトリウム、シソエキス、オウゴンエキス、スギナエキス、ホップエキス、マツエキス、レモンエキス、オタネニンジンエキス、ブクリョウエキス、ジオウエキス、エイジツエキス、ソウハクヒエキス、シャクヤクエキス、クララエキス、トウキエキス、シコンエキス、コンフリーエキス、オレンジ油、パプリカ色素、アルニカエキス、マロニエエキス、チャエキス、イチョウエキス、ブッチャブルームエキス、ビワ葉エキス、ハマメリス水、タイソウエキス、サンザシエキス、グレープフルーツエキス、リンゴエキス、レモン果汁、オレンジ果汁、ライム果汁、ダイズエキス、オトギリソウエキス、カミツレエキス、シナノキエキス、トウキンセンカエキス、ヤグルマギクエキス、ローマカミツレエキス、ワレモコウエキス、ブドウ葉エキス、クレマティスエキス、シモツケソウエキス、セイヨウキズタエキス、ユキノシタエキス、ローズ水、及び精製水が成分として含まれている。
【００１７】
また、第二の美容液Ｂには、例えばブチレングリコール（ＢＧ）、イソペンチルジオール、エタノール、グリセリン、アルニカエキス、イチョウエキス、チャエキス、ブッチャブルームエキス、褐藻エキス、マロニエエキス、パパイン、スギナエキス、ナツメ果実エキス、クレマティスエキス、シモツケソウエキス、セイヨウキズタエキス、ヒバマタエキス、カルボマー、紅茶エキス、ＰＣＡイソステアリン酸ＰＥＧ−４０水添ヒマシ油、ツボクサエキス、水添レシチン、ホップエキス、マツエキス、レモンエキス、ローズマリーエキス、ピロリドンカルボン酸ナトリウム（ＰＣＡ−Ｎａ）、オリーブ油、グリチルリチン酸ジカリウム、スクワラン、オタネニンジンエキス、ジオウエキス、ブクリョウエキス、センブリエキス、ヒキオコシエキス、クララエキス、チンピエキス、ベタイン、ソルビトール、グリシン、アラニン、プロリン、セリン、トレオニン、アルギニン、リシン、グルタミン酸、トコフェロール、ヒアルロン酸ナトリウム、エイジツエキス、ソウハクヒエキス、ヒャクヤクエキス、トウキエキス、ダイズエキス、メントール、水酸化カリウム、塩化ナトリウム、香料、パラベン、及び精製水が成分として含まれている。
【００１８】
さらに、第二の美容液Ｃには、例えばグリチルリチン酸ジカリウム、トレハロース、加水分解シルク末が成分として含まれている。
【００１９】
また、本発明では、マイナスイオンを含むエアー吹き付けに先立って、第一の美容液の塗布後、プラスイオンを含むエアーを吹き付けるようにしても良い。このプラスイオンを含むエアーの吹き付けは、例えば非導電性の中空状のチューブと、誘電体を間に介して放電電極と誘導電極を配設し、放電電極にプラスの直流バイアス電圧を印加することによりプラスイオンを発生させるプラスイオン発生器と、上記チューブに連結され、上記プラスイオン発生器で発生したプラスイオンを上記チューブ内へ送り込むエアーを発生させ、プラスイオンを含むエアーを上記チューブ先端から放出させる送風装置とを有する美容装置を用い、第一の美容液が乾かないように繰り返し第一の美容液を塗布しながら行う。この際、プラスイオンを含むエアーの吹き付けも、一箇所につき、３０〜６０秒間行う。
【００２０】
次に、本発明の美容方法で用いる美容装置について、図１〜図３を参照して説明する。
図１は、本実施形態に係る美容装置の構造を説明する平面図である。図２は、本実施形態に係る美容装置に具備されたマイナスイオンプローブの断面図である。図３は、本実施形態に係る美容装置の配線図である。
【００２１】
図１及び図３において、本実施形態のマイナスイオン噴射用のプローブ（以下、「マイナスイオンプローブ」という。）１を具備した美容装置１０は、電源スイッチＳと、マイナスイオンプローブ１を具備するマイナスイオン噴射ノズル１１と、マイナスイオン噴射スタートボタン（以下、「動作ボタン」という。）１２と、マイナスイオン噴射時間設定タイマー１３と、マイナスイオン噴射時間設定タイマー作動表示ランプ１４と、マイナスイオン噴射エアー調整ツマミ１５と、光触媒フィルター１６と、マイナスイオン高圧電源１７と、マイナスイオン電磁弁１８と、エアー吸引口２０と、噴出し電磁弁２２と、プラスイオン発生体９０と、プラスイオンプローブ９を具備するプラスイオン噴射ノズル９１と、プラスイオン噴射スタートボタン９２と、プラスイオン噴射時間設定タイマー９３と、プラスイオン噴射時間設定タイマー作動表示ランプ９４と、プラスイオン噴射エアー調整ツマミ９５と、プラスイオン量調整ツマミ９６と、プラスイオン高圧電源９７と、プラスイオン電磁弁９８とを有している。
【００２２】
電源スイッチＳは、美容装置１０の主電源スイッチであり、この電源スイッチＳをオンすると外部交流電源と電気的に接続され、各部へ通電できる状態となる。
マイナスイオンプローブ１は、マイナスイオンを噴射する噴射口であり、その先端部には後述するようにコラーゲンなどの美容液等を含浸させたコットンなどの液体浸透部材６を保持できるように構成されている。
マイナスイオン側の軟性チューブ４は、その先端にマイナスイオンプローブ１が取り付けられており、このマイナスイオンプローブ１に対してエアーを送り込むためのチューブである。このチューブ４は、絶縁性の高いシリコンやテフロン（登録商標）などにより構成することができる。また、チューブ４は、テフロン（登録商標）にするとやや硬く、マイナスイオンプローブ１の操作時の柔軟性を考慮するとシリコンを用いるのが望ましい。
【００２３】
プラスイオンプローブ９は、プラスイオンを噴射する噴射口であり、その先端部にはマイナスイオンプローブ１と同様に、美容液等を含浸させたコットンなどの液体浸透部材１９を保持できるように構成されている。また、このプラスイオンプローブ９は、シリコンなどの軟性部材により構成されており、プラスイオンプローブ９の噴射口を自在に操ることができるようになっている。
【００２４】
動作ボタン１２は、マイナスイオン高圧電源１７及びマイナスイオン電磁弁１８への通電を制御することで、マイナスイオンプローブ１からマイナスイオンを噴射、停止の操作を行うためのボタンである。
マイナスイオン噴射時間設定タイマー１３は、マイナスイオンを噴射させる時間を設定するためのタイマーである。このマイナスイオン噴射時間設定タイマー１３は、設定された時間だけマイナスイオン高圧電源１７及びマイナスイオン電磁弁１８への通電をおこない、設定時間になるとこれらへの通電を遮断することで、マイナスイオンの噴射を停止するようになっている。
【００２５】
マイナスイオン噴射時間設定タイマー作動表示ランプ１４は、ＬＥＤにより構成され、動作ボタン１２がオンされて噴射状態となると通電されて緑色に点灯し、動作ボタン１２がオフ又はタイマーの設定時間になると通電が遮断されて消燈するようになっている。
マイナスイオン噴射エアー調整ツマミ１５は、マイナスイオンを噴射する際のエアーの量を調整するためのものである。このマイナスイオン噴射エアー調整ツマミ１５は、時計方向にツマミを回すと勢いが弱まって噴射されるエアーが少なくなり、ツマミをいっぱいに回すと、エアーの噴射は止まるようになっている。
【００２６】
光触媒フィルター１６は、塵や埃を除去するとともに、細菌・ウイルスなどを吸着・不活化・除去する。
マイナスイオン高圧電源１７は、電極部２に対して高電圧を供給するものである。本例では、このマイナスイオン高圧電源１７により、最大６．２Ｋｖの電圧を供給することができるようになっている。
マイナスイオン電磁弁１８は、マイナスイオン噴射スタートボタン１２の操作により通電制御されて開閉を行うことにより、マイナスイオンプローブ１から噴射するエアーを制御するための弁である。
【００２７】
エアー吸引口２０は、噴射するエアーの吸引口である。このエアー吸引口２０には、気体分離膜８が取り付けられている。この気体分離膜８としては、たとえば松下電器社製の酸素富化膜８（ＰａｎａＯ２ ）を用いることができ、これにより吸引されるエアーのゴミや塵などを分離できるだけでなく、エアー中の窒素を約１０％程度少なくすることができる。これにより、マイナスイオンを生成する際に窒素酸化物が生成されることを抑えることができる。
【００２８】
噴出し電磁弁２２は、電源スイッチＳの通電により光触媒フィルター１６及び後述する気体分離膜８を介して清浄されたクリーンエアーを装置内に基板等向けて噴射する弁である。したがって、電源スイッチＳをオンした直後の未だマイナスイオンの噴出もプラスイオンの噴出も選択されていないスタンバイ状態では、クリーンエアーを装置内の基板等へ向けて噴射している。これにより基板等は常に清掃された状態を維持している。
【００２９】
プラスイオン噴射スタートボタン９２は、プラスイオン電源及びプラスイオン電磁弁９８への通電を制御することにより、プラスイオンの噴射を開始させるためのボタンである。
プラスイオン噴射時間設定タイマー９３は、プラスイオンの噴射している時間を設定するタイマーであり、設定された時間になるとプラスイオン電源への通電を遮断してプラスイオンの噴射を停止できるようになっている。
【００３０】
プラスイオン噴射時間設定タイマー作動表示ランプ９４は、ＬＥＤにより構成され、プラスイオン噴射時間設定タイマー９３がオンとなることにより、通電され緑色に点灯し、設定された時間になると通電が遮断され消灯するように構成されている。
プラスイオン噴射エアー調整ツマミ９５は、プラスイオンを噴射する際のエアーの量を調整するためのものである。このプラスイオン噴射エアー調整ツマミ９５は、時計方向にツマミを回すと勢いが弱まって噴射されるエアー量が少なくなり、ツマミをいっぱいに回すと、エアーの噴射は止まるようになっている。
【００３１】
プラスイオン量調整ツマミ９６は、プラスイオンの生成量（濃度）を調整するためのものである。このプラスイオン量調整ツマミ９６はスライダックを構成し、プラスイオン電源へ供給する電圧を調整することでプラスイオンの濃度を調整することができる。この例では、時計方向にプラスイオン量調整ツマミ９６を回すとプラスイオンの濃度が高くなり、最大で１０ｐｐｍのプラスイオン濃度まで噴射できるようになっている。
プラスイオン電磁弁９８は、プラスイオン噴射スタートボタン９２の操作によりプラスイオン噴射時間設定タイマー９３で設定された時間だけ弁を開いてプラスイオンを供給する電磁弁である。
【００３２】
次に、図２を参照してマイナスイオンプローブ１の詳細について説明する。
図２に示すように、本実施形態のマイナスイオンプローブ１は、高電圧が印加されることによりマイナスイオンを発生する電極部２と、電極部２とマイナスイオン高圧電源部１７（図３に示す）とを電気的に接続する高圧配線３と、電極部２及び高圧配線３を内部に配置する中空のシリコン製の軟質チューブ４を有している。また、軟質チューブ４の先端付近周胴部は、アルミニウム製パイプからなる硬質筒状体５に挿通されて保護されており、この硬質筒状体５が操作を行う人のも持ち手を構成する。
【００３３】
電極部２には、高圧配線３が接続されている。この電極部２は負荷抵抗体としてのカーボン繊維を複数本束ねることにより構成されている。これにより、電極部２に対して外部より横方向から応力が加わったとしても、電極部２は応力に応じて曲折することとなる。したがって、電極部２が硬質体より構成されたもののように、応力に応じて電極部２が軟質チューブ４を突き破って露出してしまう危険を回避することが出来る。なお、電極部２は、高価ではあるがチタン繊維によって構成しても良い。
【００３４】
また、この電極部２は、その先端２ａが、軟質チューブ４先端の肌当て部４ａより引っ込んで構成され、電極部２ａの先端部から軟質チューブ４の先端肌当て部４ａまでの間に空隙が形成されている。そして、この空隙部分にコラーゲンなどの美容液等を含浸させたコットンなどの液体浸透部材６を保持できるように構成されている。
さらに、電極部２は、高圧配線３と軟質チューブ４内部との間に綿花よりなる通気性を有する隙間部材７が配置され、軟質チューブ４内周部と電極部２の支持部との間に隙間が設けられている。これにより、送風されたエアーがこの隙間部材７を通過しＴ、電極部２に吹き付けることができるように構成されている。
なお、電極部２はデルリン（登録商標）、テフロン（登録商標）等の支持部を介して高圧配線３に接続するようにしてもよい。この場合、支持部と軟質チューブ４内部との間に隙間部材を配置してもよい。
【００３５】
また、軟質チューブ４の基端部は、先端肌当て部４ａよりエアーを吹き出すようにポンプに連絡されている（図示せず）。このエアーは、酸素を優先的に透過させる気体分離膜、たとえば松下電器社製の酸素富化膜８（ＰａｎａＯ２ ）を通して供給されるようになっている。
【００３６】
次に、本実施形態にかかる美容装置を使用して、マイナスイオンを肌に照射する場合の操作方法について説明する。
１）まず、はじめに、電源スイッチＳを押して電源を投入する。これにより内部に設けられたポンプが作動する。
２）次に、マイナスイオン噴射時間設定タイマー１３のダイヤルを回すことにより、マイナスイオン噴射時間を設定する。
３）チューブ４の先端４ａを顔に当て、マイナスイオン噴射スタートボタン１２を押す。これによりマイナスイオン照射機能が作動し、設定時間だけ動作する。
４）この際、マイナスイオン噴射エアー調整ツマミ１５を操作することで、噴出し電磁弁２２が開閉操作され、プローブ１のチューブ４の先端４ａから噴出す空気量を調整することが出来る。
５）また、プラスイオンを噴射する場合は、プラスイオン噴射時間設定タイマー９３のダイヤルを回すことにより、当該機能を使用する時間を設定し、プラスイオン照射装置９のチューブの先端を肌に当て、プラスイオン噴射スタートボタン９２を押す。そうするとプラスイオンを噴射する機能が作動し、設定された時間になるとその機能が停止する。
【００３７】
次に、電極部２からマイナスイオンが放出する原理について説明する。
電極部２に高電圧が印加されることにより、電極部２がカーボン繊維などの負荷抵抗部材よりなるため、ある限界点を越えるまで電子の流れが制限された状態となり、ある限界点を超えるとマイナス電子が押し出されるようにして電極部２から放出される。そして、一つのマイナス電子が押し出されることによって後続のマイナス電子が連続して流れバイパスが形成される。
【００３８】
これは、大気中には常時３０％程度の水分があるため、水分中の水素イオン（プラスイオン）が大気中に常時浮遊している。その他にも大気中にはプラスイオンが存在する。そのため、特別にプラス電極を求めなくとも、大気を仮想のプラス電極と見なせば放電可能である。そして、この仮想のプラス電極と電極部２との間のインピーダンスに比し、電極部２のインピーダンスが高いためマイナスイオン電子が放電することが可能となる。
【００３９】
なお、マイナスイオンを放出するには、電源電圧と電極部２のマッチングが必要となるが、一例として高圧電源部の電圧を５Ｋｖ、電極部２の負荷抵抗を２０Ωとすれば、マイナスイオンが放射される。
【００４０】
そして、一例として、電極部２の先端から放射されたマイナスイオンの量を測定した。その結果、本実施形態のプローブ１の電極部２からは２００万個／ｃｃ以上のマイナスイオンが計測された。
なお、使用した測定装置は、アルス医療器株式会社製のマイナスイオン検出器（ＭＯＤＥＬ  ＡＫ−２０１）であり、測定条件は、以下のとおりである。
【００４１】
測定イオン：正負イオン、異動度０．４ｃｍ２／Ｖ・ｓｅｃ以上
空間電荷密度：全イオン数の正イオン数と負イオン数の差
測定環境：一般大気中からイオン発生による高濃度環境
測定範囲：５〜９９９９００（個／ｃｃ）
サンプリング流量：６０  ｌ／ｍｉｎ
【００４２】
このように、電極部２としてカーボンの繊維を束ねて構成し、これに高電圧を印加するようにしたことから、負荷抵抗としての電極部２で電子が押し出されるようになり、より多くのマイナスイオンを発生させることができる。
また、この電極部２に向けてエアーを吹き込むことにより、チューブ４の先端部からイオン化されたエアーを放出することができる。これにより、電極が直接肌に触れることがないため、施術を受けるユーザに痛みや違和感を与えることなく、美容効果を高めることができる。
さらに、上述の放電方式よれば、コロナ放電によるプラスイオンやプラスイオンが発生を抑えることができるから、不用意にプラスイオンや窒素酸化物が照射されることがなくなり、マイナスイオンによる美容効果を阻害したり、副作用を発生させたりすることがなくなる。
【００４３】
また、電極部２とチューブ４の先端部４ａとの間に空隙を設け、この空隙に美容液などの液体を含浸させることができる綿などの部材を保持できるように構成したことから、肌に美容液などピンポイントで、かつ、効率良く塗りながらイオンエアーを照射することができる。
【００４４】
また、ポンプの吸引口に酸素を優先的に透過させる気体分離膜を通してエアーの供給を行うようにしたことから、エアーの窒素含有量を低減させることができ、窒素酸化物の発生を防止することができるし、塵、埃、細菌、ウイルスなどをカットしたクリーンなエアーを供給することができる。
【００４５】
チューブ４をシリコンにより構成したことから、チューブ４に柔軟性を持たせることができ、イオンエアーの照射部分を自由に替えることができるし、また肌触りもよく施術を受ける者に違和感を与えることがない。
【００４６】
さらに、本発明では、軟質チューブ４先端付近の周胴部に、硬質筒状体５を取り付けたことから、軟質なチューブが途中で折れること無く、扱い易いものとすることができる。
【００４７】
次に、プラスイオン発生体９０からマイナスイオンが放出する原理について説明する。
プラスイオン発生体９０は、図４に示すように、セラミックやマイカ等からなる誘電体９０１の一面に放電電極９０２を配置すると共に、他面に誘導電極９０３を配置し、それら放電電極９０２と誘導電極９０３との間に交流電圧９０６と直流バイアス電圧９０５とを印加して放電（プラズマ）させることによって、周囲の空気をイオン化するものであって、放電電極９０２にプラスの直流バイアス電圧を印加することで、マイナスイオンを放電電極９０２に吸収させ、プラスイオンだけを取り出すようにしたものである。
【００４８】
また、プラスイオンプローブ９は、図示しないが、プラスイオンだけを取り出するようにしたプラスイオン発生器９０と、上記中空状のシリコン製の軟質チューブ４に連結され、上記プラスイオン発生器９０で発生したプラスイオンを上記チューブ４内へ送り込むエアーを発生させ、プラスイオンを含むエアーを上記チューブ先端から放出させる送風装置とを有する。また、軟質チューブ４の先端付近周胴部は、マイナスイオンプローブ１と同様に、アルミニウム製パイプからなる硬質筒状体に挿通されて保護されており、この硬質筒状体が操作を行う人のも持ち手を構成するようになっている。
【００４９】
以上のように構成した美容装置１０におけるエアーの流れについて、図５に基づき簡単に説明する。
まず、電源スイッチＳをオンすると、ＤＣファンが作動し、光触媒フィルター１６を通して外部にあるエアーが美容装置１０内に取り込まれる。美容装置１０内に取り込まれたエアーは、引き続きエアー吸引口２０より吸引され、電源スイッチＳをオンしただけのスタンバイ状態では、気体分離膜としての酸化富化膜８を通してクリーンなエアーが電磁弁２２より噴出する。
【００５０】
ここで、動作ボタン１２を押すと、マイナスイオン噴射時間設定タイマー１３にて噴射時間が設定されていることを条件に、設定された時間だけマイナスイオン高圧電源１７及びマイナスイオン電磁弁１８への通電を行う。マイナスイオン電磁弁１８への通電によってマイナスイオン電磁弁１８が開くと、光触媒フィルター１６及び酸化富化膜８を通ったクリーンエアーが供給される。このクリーンエアーは、マイナスイオン噴射ノズル１１を介してマイナスイオンプローブ１の先端より噴出する。そして、この時マイナスイオン高圧電源部１７と電気的に接続する高圧配線３の先端部に設けられた電極部２にマイナスイオン高圧電源１７からの高電圧が印加されることにより発生したマイナスイオンが、クリーンエアーと共にマイナスイオンプローブ１の先端より噴出する。
【００５１】
また、プラスイオン噴射スタートボタン９２を押すと、プラスイオン噴射時間設定タイマー９３にて噴射時間が設定されていることを条件に、設定された時間だけプラスイオン発生体９０及びプラスイオン電磁弁９８への通電を行う。プラスイオン電磁弁９８への通電によってプラスイオン電磁弁９８が開くと、プラスイオン発生体９０で発生したプラスイオンがプラスイオン噴射ノズル９１を介してプラスイオンプローブ９の先端より噴出する。この時、プラスイオン発生体９０より発生するプラスイオン濃度は、プラスイオン量調整ツマミ９６を操作してプラスイオン電源へ供給する電圧を調整することで調整する。
【００５２】
以上のような構成により、本実施の形態では、肌を全体的にクレンジングした後、弛緩部位に、保湿向上効果を有する第一の美容液を塗布し、そして、美容装置１０に具備されたプラスイオンプローブ９の先端を当該弛緩部位に当ててプラスイオンを含んだエアーの吹き付けを、一箇所につき３０〜６０秒間行う。この際、プラスイオンを含んだエアーによって第一の美容液が乾かないように、繰り返し第一の美容液を塗布しながらプラスイオンを含んだエアーの吹き付けを行う。
次いで、プラスイオンを含むエアーの吹き付け後、再度第一の美容液を塗布し、引き続きマイナスイオンを含むエアーの吹き付けを行う。この際、第一の美容液を、美容装置１０に具備されたマイナスイオンプローブ１の先端に設けられた空隙に保持された液体含浸部材に含浸させ、この第一の美容液が含浸された液体含浸部材を当該弛緩部位に当てながらマイナスイオンを含むエアーの吹き付けを、一箇所につき３０〜６０秒間行う。
【００５３】
また、他の実施の形態では、肌のクレンジング後、保湿向上作用を有する第一の美容液と共に、紫外線遮断作用と過剰皮脂抑制作用を有する第二の美容液Ａと、引締め作用を有する第二の美容液Ｂと、炎症抑制作用を有する第二の美容液Ｃとを混合し、この混合美溶液を当該弛緩部位にすり込むよう塗布する。
次に、第一の美容液を含浸させたコットンシートを弛緩部位に貼り付け、さらにその上から人肌に加温した液状のパラフィンワックスを塗布して約１０分間寝かし、パラフィンワックスを硬化させる。これにより、上記美容液を封じ込めると共に、当該弛緩部位を温めて柔らかくし、肌の新陳代謝を高め、その後の美容液やマイナスイオンが入り易いようにすることが出来る。
次いで、硬化したパラフィンワックスを除去してから、上記第一の美容液と第二の美容液Ａと第二の美容液Ｂと第二の美容液Ｃとを混合した混合美容液を、再度肌に塗布する。
そして、その後は上述した実施の形態ように、プラスイオンを含むエアーの吹き付け及びマイナスイオンを含むエアーの吹き付けを行うようにしても良い。
最後に当該弛緩部位に、第一の美容液と第二の美容液Ａを薄く塗布し、肌に馴染ませて仕上げる。
【００５４】
さらに、他の実施の形態では、上記肌のクレンジング、混合美容液の塗布、及びパラフィンワックスの塗布・除去後、上記第一の美容液と第二の美容液Ａと第二の美容液Ｂと第二の美容液Ｃとを混合した混合美容液を再度肌に塗布し、表情筋の筋肉運動を行うようにしても良い。これにより、肌の新陳代謝が一層促進され、肌を引締め、その後の美容液やマイナスイオンが入り易いようにし、シワや肌のたるみを改善し、しかも改善されたシワ等が再現し難いものとなる。
この筋肉運動は、例えばバイブレータや超音波 による振動等により、神経系統により刺激を与え、筋肉をリラックスさせる装置を肌に押し当てることにより成し得ることが出来る。
そして、その後は上述した実施の形態ように、プラスイオンを含むエアーの吹き付け及びマイナスイオンを含むエアーの吹き付けを行うようにしても良い。
最後に当該弛緩部位に、第一の美容液と第二の美容液Ａを薄く塗布し、肌に馴染ませて仕上げる。
【図面の簡単な説明】
【００５５】
【図１】本実施形態に係る美容装置の構造を説明する平面図。
【図２】本実施形態に係る美容装置に具備されたマイナスイオンプローブの断面図である。
【図３】本実施形態に係る美容装置の配線図。
【図４】本実施形態に係るプラスイオン発生体の構造を説明する概略図。
【図５】本実施形態に係る美容装置のエアーの流れを説明する概略図。
【符号の説明】
【００５６】
Ｓ・・・電源スイッチ、Ｖ・・・バキュームボタン、１・・・マイナスイオンプローブ、２・・・電極部、３・・・高圧配線、４・・・軟質チューブ、４ａ・・・先端肌当て部、５・・・硬質筒状体、６・・・液体浸透部材、７・・・隙間部材、８・・・気体分離膜（酸素富化膜）、９・・・プラスイオンプローブ、１０・・・美容装置、１２・・・マイナスイオン噴射スタートボタン（動作ボタン）、１３・・・マイナスイオン噴射時間設定タイマー、１４・・・マイナスイオン噴射時間設定タイマー作動表示ランプ、１５・・・マイナスイオン噴射エアー調整ツマミ、２０・・・エアー吸引口、９０・・・プラスイオン発生体、９２・・・プラスイオン噴射スタートボタン、９３・・・プラスイオン噴射時間設定タイマー、９４・・・プラスイオン噴射時間設定タイマー作動表示ランプ、９５・・・プラスイオン噴射エアー調整ツマミ、９６・・・プラスイオン量調整ツマミ、９０１・・・誘電体、９０２・・・誘導電極、９０３・・・放電電極、９０５・・・交流電圧、９０６・・・直流電圧。
【図１】
2006167296.tif 000003
【図２】
2006167296.tif 000004
【図３】
2006167296.tif 000005
【図４】
2006167296.tif 000006
【図５】
2006167296.tif 000007